(57)【要約】      （修正有）【課題】汎用性に優れ要介護者や障害者等が座ったままで入浴や食事等の介助や移動を行うことができる介助用ストレッチャー及び入浴介助用具を提供する。【解決手段】棒材又はパイプで組み合わされた介助用ストレッチャー１であって、キャスター２が取り付けられるベースフレームと、ベースフレームに対向する２辺の上方に設けられる側フレーム４と、側フレームの間に配され要介護者が座る座席フレーム５と、座席フレームと側フレームとを連結する連結部材とを備え、座席フレームは座面５３が設けられる底面フレームと、底面フレームを支持し背もたれ面５４が設けられる支持部材とを有し、連結部材は座席フレームの支持部材と側フレームとを連結し、底面フレームよりも上方で連結される介助用ストレッチャー及び介助用ストレッチャーと、底壁と周壁とで形成され側フレームとの間に配される浴槽とを備える。【選択図】図１
0003197059.tif 000002
【実用新案登録請求の範囲】
【請求項１】
棒材又はパイプで組み立てられた介助用ストレッチャーであって、
キャスターが取り付けられる平面視四角形のベースフレームと、
前記ベースフレームの対向する２辺の上方に設けられる１対の側フレームと、
前記１対の側フレームの間に配され要介護者が座る座席フレームと、
前記座席フレームと前記側フレームとを連結する連結部材とを備え、
前記座席フレームは座面が設けられる底面フレームと、前記底面フレームを支持し背凭れ面が設けられる支持部材とを有し、
前記連結部材は前記座席フレームの前記支持部材と前記側フレームとを前記底面フレームよりも上方で連結する
ことを特徴とする介助用ストレッチャー。
【請求項２】
前記連結部材は背凭れ面上端と座面との中間高さよりも高い位置で前記支持部材と前記側フレームとを連結することを特徴とする請求項１記載の介助用ストレッチャー。
【請求項３】
前記座面の中央部分に溝が設けられていることを特徴とする請求項１又は２に記載の介助用ストレッチャー。
【請求項４】
前記側フレームに着脱可能な脱着バーが取り付けられることを特徴とする請求項１乃至３何れかに記載の介助用ストレッチャー。
【請求項５】
請求項１乃至４記載の介助用ストレッチャーと、
底壁と周壁とから形成され、前記座席フレームと前記側フレームとの間に配される浴槽とを備え、
前記周壁は前壁と後壁と側壁を有し、
前記周壁の深さは、後壁よりも前壁の方が深く、
前記底壁は、後壁から前壁に向かって下方に傾斜するように設けられていることを特徴とする入浴介助用具。
【請求項６】
前記浴槽の底壁と側壁は食品用に使用される部材からなることを特徴とする請求項５記載の入浴介助用具。
【考案の詳細な説明】
【技術分野】
【０００１】
本考案は、要介護者や障害者等が座ったままで入浴や食事等の介助や移動を行うことができる介助用ストレッチャー及び入浴介助用具に関するものである。
【背景技術】
【０００２】
介護施設等で要介護者に入浴等の介助や移動をする際に介助者の労力負担を軽減するために以下に示す技術が開示されている。
【０００３】
特許文献１には、部屋の境界近傍付近に設置される回転軸に取り付けられ、この回転軸を中心とした回動により、前記境界を共有する二つの部屋の間を要介護者を搬送し得るストレッチャーについて記載されている。
【０００４】
特許文献２には、背もたれ部から足受部に至る本体プレートをＦＲＰ等の樹脂により一体成型した車いすと、この車いすを進退可能に収蔵し得るスペースを備えた本体と、車いす上の入浴者を起座位の姿勢から仰臥姿勢へ変換する回転手段と、車いすの両側面を弾圧するシリンダ手段とにより湯槽を新たに創出するように形成したことを特徴とする車いす入浴装置について記載されている。
【先行技術文献】
【特許文献】
【０００５】
【特許文献１】特開２０１０−１８４０９７号公報
【特許文献２】特開２００３−３３４２２８号公報
【考案の概要】
【考案が解決しようとする課題】
【０００６】
しかしながら、特許文献１のストレッチャーは二部屋間の移動しか利用できず、また、特許文献２の入浴装置にはポンプや流体制御機器類が必要となり、装置を導入する際の初期投資や維持管理費等の費用が必要となり、汎用性に欠ける。
【課題を解決するための手段】
【０００７】
本考案は上記した課題を解決するためになされたものであり、汎用性に優れ要介護者や障害者等が座ったままで入浴や食事等の介助や移動を行うことができる介助用ストレッチャー及び入浴介助用具を提供することを目的とする。
【０００８】
請求項１に係る考案は、棒材又はパイプで組み立てられた介助用ストレッチャーであって、キャスターが取り付けられる平面視四角形のベースフレームと、前記ベースフレームの対向する２辺の上方に設けられる１対の側フレームと、前記１対の側フレームの間に配され要介護者が座る座席フレームと、前記座席フレームと前記側フレームとを連結する連結部材とを備え、前記座席フレームは座面が設けられる底面フレームと、前記底面フレームを支持し背もたれ面が設けられる支持部材とを有し、前記連結部材は前記座席フレームの前記支持部材と前記側フレームとを前記底面フレームよりも上方で連結することを特徴とする介助用ストレッチャーに関する。
【０００９】
請求項２に係る考案は、前記連結部材は背凭れ面上端と座面との中間高さよりも高い位置で前記支持部材と前記側フレームとを連結することを特徴とする請求項１記載の介助用ストレッチャーに関する。
【００１０】
請求項３に係る考案は、前記座面の中央部分に溝が設けられていることを特徴とする請求項１又は２に記載の介助用ストレッチャーに関する。
【００１１】
請求項４に係る考案は、前記側フレームに着脱可能な脱着バーが取り付けられることを特徴とする請求項１乃至３何れかに記載の介助用ストレッチャーに関する。
【００１２】
請求項５に係る考案は、請求項１乃至４記載の介助用ストレッチャーと、底壁と周壁とから形成され、前記座席フレームと前記側フレームとの間に配される浴槽とを備え、前記周壁は前壁と後壁と側壁を有し、前記周壁の深さは、後壁よりも前壁の方が深く、前記底壁は、後壁から前壁に向かって下方に傾斜するように設けられていることを特徴とする入浴介助用具に関する。
【００１３】
請求項６に係る考案は、前記浴槽の底壁と側壁は食品用に使用される部材からなることを特徴とする請求項５記載の入浴介助用具に関する。
【考案の効果】
【００１４】
本考案のストレッチャーによれば、入浴や食事の介助に加え、移動手段としても使用することができるため、汎用性に優れている。
本考案の入浴介助用具によれば、要介護者はストレッチャーに乗った状態で寝室から浴室へ移動・入浴することができ、介助者は要介護者の身体移乗をすることなく入浴介助を行うことができる。更に容易に入浴介助が行えるため、病院や介護施設等では介助者の労力負担が軽減され、効率良く入浴介助を行うことができる。また、ポンプ等の機械装置を必要としないため、導入する際の初期投資や維持管理費等を大幅に抑えることができ、病院や介護施設に加え家庭等でも利用することができる。
【図面の簡単な説明】
【００１５】
【図１】介助用ストレッチャーの全体斜視図である。
【図２】介助用ストレッチャーの正面図である。
【図３】介助用ストレッチャーの側面図である。
【図４】介助用ストレッチャーの平面図である。
【図５】入浴介助用具に使用される浴槽を示す図である。
【図６】入浴介助用具の使用状態を示す斜視図である。
【図７】介助用ストレッチャーの他の実施形態を示す図である。
【考案を実施するための形態】
【００１６】
本考案に係る介助用ストレッチャー及び入浴介助用具について図面を参照しながら説明する。図１は介助用ストレッチャーの全体斜視図であり、図２はその正面図、図３は側面図、図４は平面図を示している。尚、本考案を説明するにあたり、介助用ストレッチャー及び入浴介助用具の位置関係は図１に示される位置関係に基づいて前後方向、上下方向及び左右方向として説明する。
【００１７】
本考案の介助用ストレッチャー１（以下、ストレッチャーと称することがある）は、棒材又はパイプで組み立てられており、キャスター２が取り付けられる平面視四角形のベースフレーム３と、ベースフレーム３の対向する２辺の上辺に設けられる１対の側フレーム４（４ａ、４ｂ）と、１対の側フレーム（４ａ、４ｂ）の間に配され要介護者が座る座席フレーム５と、座席フレーム５と側フレーム４とを連結する連結部材６とを備えている。
また、ベースフレーム３の上面にプレートを設けてもよい。これにより、要介護者がストレッチャーを利用して移動や食事等をする際に足を置くことができる。
【００１８】
ベースフレーム３は側フレーム４や座席フレーム５等のベースフレーム３より上方に設けられる部材を支持し、図１に示すように矩形の底辺を形成する４つの部材（３ａ、３ｂ、３ｃ、３ｄ）と、３ａ、３ｂの２つの部材を連結する部材（３ｅ）を有している。ベースフレームに用いられる材質は特に限定されず、強度及び軽さ等の観点からステンレスが好適に利用される。
【００１９】
キャスター２は移動用部材でありベースフレーム３の下部に取り付けられている。図１に示すように、キャスター２はベースフレーム３の４つの部材（３ａ、３ｂ、３ｃ、３ｄ）の四隅（合計で４つ）に取り付けられているが、取り付けられる個数は特に限定されない。例えば、ベースフレームの３ａ及び３ｂの中間に１つずつ設けて６つ取り付けてもよく、耐荷重等に応じて適宜変更される。また、キャスター２に必要に応じて介助の際にストレッチャーを固定するためのロック機能を備えてもよい。
【００２０】
側フレーム４は座席フレーム５を支持するために設けられており、ベースフレーム３の対向する２辺（ベースフレーム３ａ、３ｂ）の上方に夫々１つずつ（２つ）設けられている。図１に示すように、側フレーム４はベースフレーム３ａの上方に取り付けられる右側フレーム４ａと、ベースフレーム３ｂの上方に取り付けられる左側フレーム４ｂから構成される。
側フレーム４は図３に示すように、側面視下向きＵ字形状の側フレーム部材（４１ａ、４１ｂ）と縦方向に設けられる側フレーム部材（４２ａ、４２ｂ）と、横方向に設けられる側フレーム部材（４３ａ、４４ａ、４３ｂ、４４ｂ）とを有している。
【００２１】
図１、３に示される側フレーム部材（４１ａ、４１ｂ）の角部はアール形状となっているが形状については特に限定されず、角形状であってもよい。また、縦方向に設けられる側フレーム部材（４２ａ、４２ｂ）及び横方向に設けられる側フレーム部材（４３ａ、４４ａ、４３ｂ、４４ｂ）の数も特に限定されず、２つ以上設けられていてもよい。
【００２２】
座席フレーム５は図１に示すように底面フレーム５１と底面フレーム５１を支持する支持部材５２とを有しており、右側フレーム４ａ及び左側フレーム４ｂとの間（図４の平面図を参照すればベースフレーム３の内側）に配されている。底面フレーム５１は、矩形の底辺を形成する４つの部材（５１ａ、５１ｂ、５１ｃ、５１ｄ）からなり、底面フレーム５１の上面には座面５３が設けられている。支持部材５２は上下方向に設けられる４つの部材（５２ａ、５２ｂ、５２ｃ、５２ｄ）からなり、支持部材５２ｃ、５２ｄとの間に背凭れ面５４が設けられている。
座席フレーム５は座面５３及び背凭れ面５４とともに要介護者や障害者等が介護を受ける際の座席を形成している。
【００２３】
底面フレーム５１の形状は特に限定されず、図１に示される矩形状に加えて円形状、楕円形状であってもよい。また、座面５３の形状も特に限定されず円形状、楕円状等の曲線形状であってもよい。これらは使用形態に応じて適宜変更される。
【００２４】
座面５３の中央部分には前後方向に亘って溝５３ａが設けられている。これにより、要介護者が入浴介助を受ける際に要介護者の臀部及び大腿部を効率良く洗浄することが可能となる。また、座面５３及び背凭れ面５４に使用される材質としては特に限定されないが、撥水性又はクッション性或いはこれらを組み合わせたものが好適に利用される。特に入浴介助用具として使用する際はウレタン製の座面を使用することが好ましい。また、食事、移動、歯磨き等の介助に応じて使用する座面及び背凭れ面の材質を適宜変更してもよい。
【００２５】
連結部材６は図１に示すように左右方向に設けられる４つの部材（６ａ、６ｂ、６ｃ、６ｄ）からなる。連結部材６は夫々が座席フレーム５の支持部材５２と側フレーム４とを底面フレーム５１よりも上方で連結する。具体的には、５２ａは６ａと、５２ｂは６ｂと、５２ｃは６ｃと、５２ｄは６ｄと連結している。これにより、連結部材６は座席フレーム５と側フレーム４を連結する。
また、支持部材５２は上端が連結部材６と下端が底面フレーム５１と夫々連結しているが、連結部材６は背凭れ面５４上端と座面５３との中間高さよりも高い位置（支持部材５２の中間よりも高い位置）で支持部材５２と側フレーム４とを連結してもよい。これにより、座席フレーム５の揺れが側フレーム４に伝わりにくい構造となるため、介助する際に要介護者が左右に揺れたとしても、転倒する虞がない。
【００２６】
本考案に係るストレッチャー１には、着脱自在に取り付けられる脱着バー７が設けられていてもよい。図１及び３に示すように、側フレーム部材４３ａ、４３ｂの前方に取り付けられてもよい。これにより、要介護者が介助及び移動の際の前方への転倒を防止することが可能となる。
【００２７】
本考案に係るストレッチャーに用いられる材質は特に限定されないが、例えば強度及び軽さ等の観点からステンレスが好適に利用される。また、側フレームにクッション材を被覆してもよく、ベースフレームの上面に設けられるプレートにクッション材を使用してもよい。
【００２８】
図５は、入浴介助用具に使用される内部に温湯を張る浴槽を示している。この浴槽８は底壁８１と周壁８２から形成され、周壁８２は前壁８２ａ、後壁８２ｃ、側壁（８２ｂ、８２ｄ）とを有している。
側壁８２ｄは座席フレーム（５２ｂ、５２ｄ）と側フレーム４ｂとの間に配される。側壁８２ｂは座席フレーム（５２ａ、５２ｃ）と側フレーム４ａとの間に配される。後壁８２ｃは、座席フレーム５よりも後方に配される。前壁８２ａは座席フレーム５の前方に配される。これにより、浴槽８は内部にストレッチャー１の座席フレーム５を収納することが可能となる。
【００２９】
周壁８２の深さは、前壁８２ａの方が後壁８２ｃよりも深くなっており、底壁８１は後壁８２ｃから前壁８２ａに向かって下方に傾斜するように設けられている。これにより、浴槽の容積を小さくすることができ、入浴介助する際に使用する温湯の量を通常の浴槽よりも少なくすることができる。
【００３０】
前壁８２ａの下方には浴槽に張られた温湯を排出する排出孔８３及び排出蓋９が設けられている。浴槽８の周壁８２の上部には取付け具１０を取り付ける複数の取付け孔８４が設けられている。取付け具１０を側フレーム４に取り付けることにより、浴槽８は取付け具１０を介してストレッチャー１に取り付けられる。
【００３１】
浴槽８に使用される材質は特に限定されないが、食品用に使用される材料を用いることが好ましい。特に身体や環境にやさしい農薬や抗菌性物質及び放射性物質を含有しないエチレンや酢酸ビニルからなる材料を使用することが好ましい。
【００３２】
ここで入浴介助用具を用いた入浴介助手順について説明する。入浴介助を受ける要介護者はストレッチャー１に乗って寝室から浴室まで移動する。脱衣後、ストレッチャーに乗ったまま、介助者は要介護者の身体を洗浄する。浴槽を要介護者の足元から差し込んで図６に示すように取付け具１０を介して浴槽８をストレッチャー１に固定させる。介助者は要介護者の肩口から温湯をかけながら浴槽に温湯を張る。要介護者が浴槽から上がる際、介助者は排出蓋９を取外すことで浴槽から温湯を排出する。温湯排出後、介助者は浴槽をストレッチャー１から取外し要介護者及びストレッチャー１を拭き、要介護者をストレッチャー１に座らせたまま寝室まで移動させる。
【００３３】
また、図６に示すように浴槽８の前壁８２ａの前方に脱着バー７を取り付けることで、浴槽８が不用意に前方へ移動することを防止することができる。
【００３４】
本考案は、上記したような入浴介助用具として使用することができるため、要介護者はストレッチャーに乗った状態で寝室から浴室へ移動・入浴することができ、介助者は要介護者の身体移乗をすることなく入浴介助を行うことができる。更に容易に入浴介助が行えるため、病院や介護施設等では介助者の労力負担が軽減され、効率良く入浴介助を行うことができる。また、ポンプ等の機械装置を必要としないため、導入する際の初期投資や維持管理費等を大幅に抑えることができ、要介護度の大小にかかわらず身体障害者等の様々な介護者に利用することができ、更に病院や介護施設に加え家庭等でも利用することができる。
【００３５】
図７は、介助用ストレッチャーの他の実施形態を示している。この実施形態では、側フレーム部材４３ａ、４３ｂの前方に着脱自在なテーブル１１が取り付けられている。これにより、要介護者はストレッチャーに座って食事介助を受けることが可能となる。また、食事に加え、要介護者はストレッチャーに座ったまま読み書きや簡単な作業を行うことができる。更に着脱自在な洗面台を取り付けることで歯磨き等の洗面を行うことができる。
【００３６】
本考案の介助用ストレッチャーはこれらの実施形態に限定されない。例えばストレッチャーに座ったまま病院や介護施設、家庭内の移動等を行うこともできる。
【産業上の利用可能性】
【００３７】
本考案の介助用ストレッチャー及び入浴介助用用具は入浴や食事の介助に加え、移動手段としても使用することができるため汎用性に優れており、病院、介護施設等の施設や家庭等で好適に利用することができる。
【符号の説明】
【００３８】
１      介助用ストレッチャー
２      キャスター
３      ベースフレーム
４      側フレーム
５      座席フレーム
５１    底面フレーム
５２    支持部材
５３    座面
５３ａ  溝
５４    背凭れ面
６      連結部材
７      脱着バー
８      浴槽
８１    底壁
８２    周壁
８２ａ  前壁
８２ｂ  側壁
８２ｃ  後壁
８２ｄ  側壁
【図１】
0003197059.tif 000003
【図２】
0003197059.tif 000004
【図３】
0003197059.tif 000005
【図４】
0003197059.tif 000006
【図５】
0003197059.tif 000007
【図６】
0003197059.tif 000008
【図７】
0003197059.tif 000009